(57)【要約】【課題】走行風を利用してインホイールモータ駆動装置を積極的に冷却することができる構造を提供する。【解決手段】車両１０は、車体１１の側部に取り付けられたインホイールモータ駆動装置２１と、インホイールモータ駆動装置２１よりも前方の車体下面に設けられ、インホイールモータ駆動装置２１へ走行風を導く導風路３７とを備える。【選択図】図１
2013154655.tif 000002
【特許請求の範囲】
【請求項１】
車体の側部に取り付けられたインホイールモータ駆動装置と、
前記インホイールモータ駆動装置よりも前方の車体下面に設けられ、前記インホイールモータ駆動装置へ走行風を導く導風路とを備える、インホイールモータ駆動装置の冷却構造。
【請求項２】
前記導風路は、少なくとも一部において筒状である、請求項１に記載のインホイールモータ駆動装置の冷却構造。
【請求項３】
前記導風路は、車体前方に向かって広がるよう開口する形状である、請求項１または２に記載のインホイールモータ駆動装置の冷却構造。
【請求項４】
前記導風路に設置されたフィルタをさらに備える、請求項１〜３のいずれかに記載のインホイールモータ駆動装置の冷却構造。
【請求項５】
前記インホイールモータ駆動装置の車輪ハブと結合してインホイールモータ駆動装置周辺の空気を車輪ハブの軸線方向外方へ排出する羽根部材をさらに備える、請求項１〜４のいずれかに記載のインホイールモータ駆動装置の冷却構造。
【請求項６】
前記導風路は、車体下部に付設されたアンダーガードに形成される、請求項１〜５のいずれかに記載のインホイールモータ駆動装置の冷却構造。
【請求項７】
前記アンダーガードは、前記インホイールモータ駆動装置から延びる電力線を下方から支持する、請求項６に記載のインホイールモータ駆動装置の冷却構造。
【請求項８】
前記アンダーガードは、車両の前輪側に設けられる前側アンダーガードと、前記前側アンダーガードから離隔して車両の後輪側に設けられる後側アンダーガードとを含む、請求項６または７に記載のインホイールモータ駆動装置の冷却構造。
【請求項９】
前記インホイールモータ駆動装置は車幅方向両側に配置されて左右１対をなし、
前記導風路から分岐して、前記左右１対のインホイールモータ駆動装置の間に配置されて前記インホイールモータ駆動装置に電力を供給する電源装置に走行風を導く中央導風路をさらに備える、請求項６〜８のいずれかに記載のインホイールモータ駆動装置の冷却構造。
【請求項１０】
前記アンダーガードは、車両の左輪側に設けられる左側アンダーガードと、前記左側アンダーガードから離隔して車両の右輪側に設けられる右側アンダーガードとを含む、請求項６〜８のいずれかに記載のインホイールモータ駆動装置の冷却構造。
【発明の詳細な説明】
【技術分野】
【０００１】
本発明は、走行風を利用してインホイールモータ駆動装置を冷却する技術に関する。
【背景技術】
【０００２】
車体下面に沿って流れる走行風を積極的に整流させる構造として、例えば特開２００６−２９８３１２号公報（特許文献１）および特開平６−１９９２５２号公報（特許文献２）に記載されるものが知られている。特許文献１に記載される構造は、車両の空気力学的な性能を改善するために、車体下面に１対の縦壁を設け、車体下面の走行風を１対の縦壁の間に収束させ、車幅方向中央部における走行風の流れを良くするというものである。特許文献２に記載される構造は、車体下面に斜面を形成して、車幅方向中央部の走行風の流れを良くし、車幅方向中央部に配置されたリアデフやトランスミッションを冷却するというものである。
【先行技術文献】
【特許文献】
【０００３】
【特許文献１】特開２００６−２９８３１２号公報
【特許文献２】特開平６−１９９２５２号公報
【発明の概要】
【発明が解決しようとする課題】
【０００４】
ところで近年、ハイブリッド車両や電気自動車の需要が伸び、エンジンに代わる自動車の動力源として、モータが採用されることが多くなりつつある。モータは例えば、インホイールモータ駆動装置として、車輪のロードホイールの内空領域に配置される。インホイールモータ駆動装置は、連続して過負荷運転されると高温になる虞があり、適切に冷却する必要がある。
【０００５】
しかし、インホイールモータ駆動装置は車体の側部に取り付けられるため、上記従来のように車幅方向中央部における走行風の流れを良くする構造では、インホイールモータ駆動装置を冷却することはできない。またインホイールモータ駆動装置は、車幅方向両側部に形成されたホイールハウジングの内部に配置され、車幅のロードホイール内空領域に配置されるため、特許文献１に記載の縦壁や、特許文献２に記載の斜面を設けることが困難である。
【０００６】
本発明は、上述の実情に鑑み、走行風を利用してインホイールモータ駆動装置を積極的に冷却することができる構造を提供することを目的とする。
【課題を解決するための手段】
【０００７】
この目的のため本発明によるインホイールモータ駆動装置の冷却構造は、車体の側部に取り付けられたインホイールモータ駆動装置と、インホイールモータ駆動装置よりも前方の車体下面に設けられ、インホイールモータ駆動装置へ走行風を導く導風路とを備える。
【０００８】
かかる本発明によれば、車体側部に取り付けられたインホイールモータ駆動装置へ走行風を導く導風路を備えることから、走行風を利用してインホイールモータ駆動装置を積極的に冷却することができる。
【０００９】
本発明の一実施形態として、導風路は少なくとも一部において筒状である。かかる実施形態によれば、筒状のダクトを備えることから、インホイールモータ駆動装置へ走行風を効率良く導くことができる。他の実施形態として、導風路は車体下面に形成された溝であってもよい。
【００１０】
本発明の好ましい実施形態として、導風路は車体前方に向かって広がるよう開口する形状である。かかる実施形態によれば、走行風を大量に取り込んでインホイールモータ駆動装置を効率良く冷却することができる。ここで好ましくは、導風路の前端を車幅方向中央領域まで広げて配置し導風路の後端を車体側部に配置し、走行風を車幅方向中央部から車体側部へ導くとよい。他の実施形態として、導風路は断面積一定の筒あるいは溝であってもよい。
【００１１】
本発明のさらに好ましい実施形態として、導風路に設置されたフィルタをさらに備える。かかる実施形態によれば、小石など粒状の異物がフィルタで阻止され、異物を含まない走行風をインホイールモータ駆動装置へ送ることができる。したがって、インホイールモータ駆動装置に異物が衝突する虞を軽減することができる。フィルタは、金網等、走行風を通すが粒状体を通さないものであればよく、その材質は限定されない。またフィルタは、筒状の導風路に設置されてもよいし、溝状の導風路に設置されてもよい。
【００１２】
本発明は一実施形態に限定されるものではないが、インホイールモータ駆動装置は、インホイールモータ駆動装置の車輪ハブと結合してインホイールモータ駆動装置周辺の空気を車輪ハブの軸線方向外方へ排出する羽根部材をさらに備えてもよい。かかる実施形態によれば、インホイールモータ駆動装置の周辺の空気を積極的に外方へ排出して、インホイールモータ駆動装置を益々効率良く冷却することができる。羽根部材は、例えばファンなどの羽根車であってもよい。また、車輪ハブと結合する車輪のロードホイールが、羽根車の形状を含む構造であってもよい。あるいは、車輪のロードホイールに被されるホイールカバーが羽根車の形状を有してもよい。
【００１３】
本発明の一実施形態として、導風路は車体下部に付設されたアンダーガードに形成される。かかる実施形態によれば、車体下部を外力から保護することを主目的として車体下部に付設されるアンダーガードに導風路が形成されることから、導風路の設置が容易となり、車体の組立効率および製造効率が向上する。他の実施形態として導風路は、外力からの保護を主目的とせず車体下面を構成するパネルに形成されてもよい。
【００１４】
本発明の一実施形態として、アンダーガードはインホイールモータ駆動装置から延びる電力線を下方から支持する。かかる実施形態によれば、インホイールモータ駆動装置から延びる電力線をアンダーガードで支持することから、電力線を保護することが可能となり、電力線に小石などの異物が衝突することを防止するとともに、電力線を泥や埃で汚れにくくすることができる。また、走行風で冷却されるアンダーガードに電力線が支持されることから、電力線も冷却することができる。電力線を下方から支持するアンダーガードの形状は特に限定されない。
【００１５】
本発明の一実施形態として、アンダーガードは、車両の前輪側に設けられる前側アンダーガードと、前側アンダーガードから離隔して車両の後輪側に設けられる後側アンダーガードとを含む。他の実施形態として、アンダーガードは前輪側から後輪側に跨って設けられる。
【００１６】
本発明の一実施形態として、インホイールモータ駆動装置は、インホイールモータ駆動装置は車幅方向両側に配置されて左右１対をなす。そして導風路から分岐して、左右１対のインホイールモータ駆動装置の間に配置されてインホイールモータ駆動装置に電力を供給する電源装置に走行風を導く中央導風路をさらに備える。かかる実施形態によれば、電源装置へ走行風を導く中央導風路を備えることから、走行風を利用して電源装置を積極的に冷却することができる。電源装置は例えば、左右１対のインホイールモータ駆動装置に電力を供給するインバータおよび／またはバッテリである。
【００１７】
本発明の一実施形態として、アンダーガードは、車両の左輪側に設けられる左側アンダーガードと、左側アンダーガードから離隔して車両の右輪側に設けられる右側アンダーガードとを含む。他の実施形態として、アンダーガードは左輪側から右輪側に跨って設けられる。
【発明の効果】
【００１８】
このように本発明は、走行風を利用してインホイールモータ駆動装置を積極的に冷却することができる。したがって、インホイールモータ駆動装置は連続して過負荷運転されても走行中は高温にならない。
【図面の簡単な説明】
【００１９】
【図１】本発明の一実施例になるインホイールモータ駆動装置の冷却構造を具備する車両の底面図である。
【図２】同実施例の横断面図である。
【図３】本発明の変形例になるインホイールモータ駆動装置の冷却構造を示す底面図である。
【図４】本発明の別の変形例になるインホイールモータ駆動装置の冷却構造を示す底面図である。
【図５】本発明の他の実施例になるインホイールモータ駆動装置の冷却構造を示す側面図である。
【図６】本発明のさらに他の実施例になるインホイールモータ駆動装置の冷却構造を具備する車両の底面図である。
【図７】同実施例の縦断面図である。
【発明を実施するための形態】
【００２０】
以下、本発明の実施の形態を、図面に示す実施例に基づき詳細に説明する。
【００２１】
図１は、本発明の一実施例になるインホイールモータ駆動装置の冷却構造を具備する車両の底面図であり、一部の車輪を断面にして示す。なお、車両の前方は、紙面の下向きとなる。図２は、同実施例を図１にＩＩ−ＩＩで示す断面で矢印の方向にみた横断面図である。車両１０は、車体１１と、車輪１６と、インホイールモータ駆動装置２１と、アンダーガード３１を備える。車体１１の左右側面には、ホイールハウジング１２がそれぞれ形成される。ホイールハウジング１２は、車体１１に固定されたパネル部材で画成され、車体１１の側部から車幅方向中央へ窪んだ形状にされる。
【００２２】
ホイールハウジング１２は車体１１の前部側面および後部側面に形成され、合計４箇所設けられる。４個の車輪１６および４個のインホイールモータ駆動装置２１は、ホイールハウジング１２の内部にそれぞれ収容される。ホイールハウジング１２は、車体１１の下方からみて車体の下面１３よりも窪んでおり、車輪１６およびインホイールモータ駆動装置２１を収容するのに十分な空間を形成する。
【００２３】
車輪１６は、ゴム製のタイヤ１７および金属製のロードホイール１８を有する。車輪１６のロードホイール１８は、インホイールモータ駆動装置２１の一方端に設けられた車輪ハブ２２と結合し、インホイールモータ駆動装置２１によって駆動される。インホイールモータ駆動装置２１は、車輪１６と同軸に結合し、車輪１６のロードホイール内空領域１９に収容されるが、完全には収容されず、インホイールモータ駆動装置２１の他方端に設けられたモータ部２４が、ロードホイール内空領域１９から突出する。
【００２４】
ここで付言すると、インホイールモータ駆動装置２１は、車輪ハブ２２と、減速部２３と、モータ部２４を有する。車輪ハブ２２と、減速部２３と、モータ部２４は、かかる順序で同軸に配置される。そして、車幅方向最外方に配置された車輪１６に車輪ハブ２２が結合する。したがって、モータ部２４は車輪１６よりも車幅方向内方に位置する。
【００２５】
モータ部２４の外郭を形成するモータケーシングは懸架装置２６と連結する。したがってインホイールモータ駆動装置２１および車輪１６は懸架装置２６に懸架されて、路面Ｒの凹凸に応じて揺動可能とされる。
【００２６】
アンダーガード３１は、外力から保護対象（本実施例では車体）を保護することを主目的とし、樹脂の中で比較的強度が大きい硬質プラスチック樹脂、アルミやアルミ合金などの軽金属、炭素繊維等、十分な強度を有する素材で形成される。本実施例のアンダーガード３１は、前側アンダーガード３１ｆおよび後側アンダーガード３１ｒを含む。前側アンダーガード３１ｆおよび後側アンダーガード３１ｒは左右対称形状であり、車体１１の下部に付設されて、車体１１の下部を外方からの衝撃に対して保護する。また、前側アンダーガード３１ｆおよび後側アンダーガード３１ｒは、車体１１の下面１３の一部を構成し、車体１１の下面に沿って流れる走行風を整流する。
【００２７】
前側アンダーガード３１ｆは、車体１１の前側に設けられて、前輪となる左右１対の車輪１６の間の車体下部領域と、これら１対の車輪１６よりも前方の車体下部領域を下方から覆う。また前側アンダーガード３１ｆは、車体１１から下方へ隆起した左右１対の隆起部３３と、隆起部３３よりも車幅方向内側に形成されて車体１１から下方へ隆起した左右１対の隆起部３５と、隆起部３３，３５の間に形成された左右１対の導風路３７と、左右１対の隆起部３５の間に形成された中央導風路３９を有する。
【００２８】
１対の導風路３７および中央導風路３９は、車体１１の下面１３に形成されて上向きに窪み、車両前後方向に延びる溝形状である。中央導風路３９は車幅方向中央に配置される。導風路３７は車幅方向両側にそれぞれ配置される。これら３本の導風路は、前端側が互いに接続して前端３８を構成し、後端側がそれぞれ分岐する。そして、左側の導風路３７は車幅方向左後方へ延び、右側の導風路３７は車幅方向右後方へ延び、中央導風路３９は車幅方向中央を真っ直ぐ後方へ延びる。
【００２９】
前側アンダーガード３１ｆに設けられた導風路の前端３８は、車体１１の前縁部に設けられる。左側の導風路３７の後端３２は、左前部の車輪１６を収容するホイールハウジング１２と接続し、左前部の車輪１６と結合するインホイールモータ駆動装置２１へ指向する。右側の導風路３７の後端３２は、右前部の車輪１６を収容するホイールハウジング１２と接続し、右前部の車輪１６と結合するインホイールモータ駆動装置２１へ指向する。中央導風路３９の後端３４は、後側アンダーガード３１ｒへ指向する。
【００３０】
前側アンダーガード３１ｆは板材で形成されて、上面と下面を有する。前側アンダーガード３１ｆの下面は路面Ｒと向き合う。前側アンダーガード３１ｆの上面は車体１１に向かう。前側アンダーガード３１ｆの上面は、モータ部２４からインバータ４５まで延びる電力線４１を下方から支持する。
【００３１】
後側アンダーガード３１ｒは、前側アンダーガード３１ｆから離隔して、車体１１の後側に設けられる。また後側アンダーガード３１ｒは、後輪となる左右１対の車輪１６の間の車体下部領域と、後輪となる左右１対の車輪１６よりも前方の車体下部領域を下方から覆う。後側アンダーガード３１ｒは前側アンダーガード３１ｆと略同一形状であるため共通の符号を付して詳細な説明を省略する。なお、後側アンダーガード３１ｒの導風路の前端３８は、前側アンダーガード３１ｆの中央導風路３９の後端３４と向き合う。また、後側アンダーガード３１ｒの左側の導風路３７の後端３２は、左後部の車輪１６を収容するホイールハウジング１２と接続し、左後部の車輪１６と結合するインホイールモータ駆動装置２１へ指向する。後側アンダーガード３１ｒの右側の導風路３７の後端３２は、右後部の車輪１６を収容するホイールハウジング１２と接続し、右後部の車輪１６と結合するインホイールモータ駆動装置２１へ指向する。後側アンダーガード３１ｒの中央導風路３９の後端３４は、車体１１の後縁部へ指向する。
【００３２】
このように導風路３７は、その前端が車体１１の幅方向中央領域に配置され、その後端が車体１１の側部に配置され、前後方向へ延びる。これに対し中央導風路３９は、その前端が車体１１の幅方向中央領域に配置され、その後端も車体１１の幅方向中央領域に配置され、前後方向へ延びる。
【００３３】
車両１０の前進走行中、走行風が車体の下面１３に沿って前方から後方へ流れる。このとき走行風は、図１に矢印で示すように導風路３７および中央導風路３９に導かれる。具体的には、走行風が車両１０の前方から前側アンダーガード３１ｆの前端３８に流入し、導風路３７および中央導風路３９に沿って流れるよう導かれる。導風路３７に沿って流れる走行風は、ホイールハウジング１２へ流入し、モータ部２４を含む前側１対のインホイールモータ駆動装置２１に衝突する。これにより、モータ部２４を含む前側１対のインホイールモータ駆動装置２１は冷却される。前側アンダーガード３１ｆの中央導風路３９に沿って流れる走行風は、中央導風路３９の後端３４からさらに後方へ流れ、後側アンダーガード３１ｒの前端３８に流入する。以下同様に、後側１対のインホイールモータ駆動装置２１は冷却される。
【００３４】
このように本実施例によれば、車体１１の下面に設けられて、ホイールハウジング１２よりも前方からホイールハウジング１２内部のインホイールモータ駆動装置２１へ走行風を導く導風路３７を備えることから、走行風を利用してインホイールモータ駆動装置２１を積極的に冷却することができる。
【００３５】
また本実施例によれば、車体１１の下部を外力から保護することを主目的として車体下部に付設されるアンダーガード３１に導風路３７が形成されることから、車体１１の下部を保護するのみならず、車体１１への導風路３７の設置が容易となり、車両１０の組立効率および製造効率が向上する。
【００３６】
また本実施例によれば、アンダーガード３１は車両１０の前輪側に設けられる前側アンダーガード３１ｆと、前側アンダーガード３１ｆから離隔して車両の後輪側に設けられる後側アンダーガード３１ｒとを含むことから、車両１０の組立効率および製造効率が益々向上する。なお図示はしなかったが、前側アンダーガード３１ｆと後側アンダーガード３１ｒを接続した大きなアンダーガードで、車体１１の下部全体を覆ってもよい。
【００３７】
次に本発明の変形例を説明する。図３は本発明の変形例を示す底面図である。この変形例につき、上述した実施例と共通する構成については同一の符号を付して説明を省略し、異なる構成について以下に説明する。この変形例では隆起部３３と隆起部３５が同じ高さ（地面からの高さ）で連続する。そして導風路３７を、溝形状に代えて筒状に形成する。図３に示す変形例によれば、筒状の導風路３７によってホイールハウジング１２の内部へ走行風を効率良く導くことができる。
【００３８】
また、筒状の導風路３７には、ワイヤーメッシュからなるフィルタ４０を張り渡す。フィルタ４０は、導風路３７の前端側に設けると良い。これにより、走行風に混入する小石などの異物は、フィルタ４０で遮断され、導風路３７の後端３２へ流入することがない。
【００３９】
次に本発明の別の変形例を説明する。図４は本発明の別の変形例を示す底面図である。別の変形例につき、上述した実施例と共通する構成については同一の符号を付して説明を省略し、異なる構成について以下に説明する。別の変形例のアンダーガード３１は、車体左側に配置される左側アンダーガード３１Ｌと、左側アンダーガード３１Ｌから離隔して車体右側に配置される図示しない右側アンダーガードを含む。左側アンダーガード３１Ｌと右側アンダーガードは左右を反転させた形状である。
【００４０】
導風路３７は、後端側で幅寸法が小さく、前端側で幅寸法が大きく、車体前方に向かって広がるよう開口する形状である。これにより、導風路３７は走行風を前端３８から大量に取り込んでインホイールモータ駆動装置２１を効率良く冷却することができる。
【００４１】
また、図４に示すロードホイール１８は、軸線Ｏ方向にみて羽根車の形状にされる。すなわち、ロードホイール１８のリム部１８ｒとハブ部１８ｈとを連結するディスク部１８ｄが、軸線Ｏを中心として放射状に配置された羽根部材からなるファンの形状にされる。ディスク部１８ｄが回転して車両１０が走行する間、ディスク部１８ｄはロードホイール内空領域１９の空気を軸線Ｏ方向外側へ矢印の向きに排出する。これによりインホイールモータ駆動装置２１の周囲に導風路３７から積極的に走行風を導入することが可能となり、インホイールモータ駆動装置２１を益々効率良く冷却することができる。また、インホイールモータ駆動装置２１に付設される図示しないディスクブレーキ装置も積極的に冷却することができる。
【００４２】
また図４の実施例によれば、アンダーガード３１は車両の左輪側に設けられる左側アンダーガード３１Ｌと、左側アンダーガード３１Ｌから離隔して車両の右輪側に設けられる右側アンダーガードとを含むことから、小さいアンダーガード３１を利用して導風路３７を設置することができる。なお、左側アンダーガード３１Ｌおよび右側アンダーガードは、前輪側のみに設けてもよいし、後輪側のみに設けてもよいし、前後輪双方に設けてもよい。
【００４３】
次に本発明の他の実施例を説明する。図５は本発明の他の実施例を示す側面図であり、インホイールモータ駆動装置を車幅方向外側からみた状態を表す。なお図面の煩雑さを避けるため、図５ではインホイールモータ駆動装置と連結する懸架装置を図示しない。他の実施例につき、上述した実施例と共通する構成については同一の符号を付して説明を省略し、異なる構成について以下に説明する。
【００４４】
導風路３７の後端３２はホイールハウジング１２に接続する。導風路３７を画成するアンダーガード３１の導風路部分３６は、断面形状が逆Ｕ字形状の溝であり、インホイールモータ駆動装置から延びる電力線４１を下方から支持する。
【００４５】
電力線４１の一端は、モータ部２４に設けられた端子ボックス２５と接続する。電力線４１の他端は、車体１１の内部に引き込まれ、車体１１に搭載された図示しないインバータと接続する。そしてインバータは電力線４１を介してモータ部２４に電力を供給する。
【００４６】
導風路部分３６の前端領域３６ａは、水平であり、隆起部３３，３５の間で車両前後方向に延びる。導風路３７の後端３２を含む導風路部分３６の後端領域３６ｂは、後方に向かうにつれて高くなるよう傾斜して延びる。そして後端領域３６ｂの上縁は、後端３２において端子ボックス２５と略同じ高さ位置にされる。
【００４７】
端子ボックス２５から延びる電力線４１は、２本ないし３本あって、導風路部分３６の後端領域３６ｂの上縁に下方から支持される。さらに電力線４１は、導風路部分３６の上縁に沿って車両前後方向に延び、導風路部分３６の前端領域３６ａから向きを変えて、車体１１の内部に至る。
【００４８】
図５に示す実施例によれば、インホイールモータ駆動装置２１から延びる電力線４１をアンダーガード３１で支持することから、電力線４１を保護することが可能となり、電力線４１に小石などの異物が衝突することを防止するとともに、電力線４１を泥や埃で汚れにくくすることができる。また、アンダーガード３１は走行風で冷却されることから、電力線４１を間接的に冷却することができる。さらに図５に示す実施例によれば、ブラケット等で電力線４１を支持する必要がなく、レイアウト上有利である。
【００４９】
なお導風路部分３６は、電力線４１の他、モータ部２４から車体１１まで延びる図示しない信号線を下方から支持してもよい。これにより信号線も保護することができる。またアンダーガード３１をアルミニウムなどの熱伝導率の高い金属で形成することによって、電力線４１の熱をアンダーガード３１で放熱することが可能となり、電力線４１の異常な温度上昇を抑制することができる。
【００５０】
次に本発明のさらに他の実施例を説明する。図６は本発明のさらに他の実施例になるインホイールモータ駆動装置の冷却構造を具備する車両の底面図である。図７は同実施例の縦断面図である。さらに他の実施例につき、上述した実施例と共通する構成については同一の符号を付して説明を省略し、異なる構成について以下に説明する。さらに他の実施例では、左右１対の導風路３７から分岐して車幅方向中央に沿って前後方向に延びる中央導風路３９の後端３４がサブフレーム４３と向き合う。
【００５１】
サブフレーム４３は縦材および横材といった複数本のフレームパイプで構成されるが図６では簡略化して示される。サブフレーム４３は車体１１の下部に固定される。サブフレーム４３は、左右１対のホイールハウジング１２間に配置され、これらホイールハウジング１２内部のインホイールモータ駆動装置２１に電力を供給するインバータ４５と、このインバータ４５に電力を供給するバッテリ４７とを下方から支持する。またサブフレーム４３の車幅方向両側には懸架装置２６が取り付けられる。
【００５２】
車両１０の前進走行中、走行風が図６および図７に矢印で示すように車体の下面１３に沿って後方へ流れる。このとき走行風は前端３８に流入して導風路３７および中央導風路３９に導かれる。中央導風路３９に沿って流れる走行風は、後側アンダーガード３１ｒの後端からサブフレーム４３に吹き込み、サブフレーム４３上のインバータ４５およびバッテリ４７の上下面および左右側面に沿って後方へ流れ、インバータ４５およびバッテリ４７を冷却する。
【００５３】
このように本実施例によれば、インホイールモータ駆動装置２１は車幅方向両側に配置されて左右１対をなし、導風路３７から分岐して、左右１対のインホイールモータ駆動装置２１の間に配置されたインバータ４５およびバッテリ４７に走行風を導く中央導風路３９をさらに備えることから、走行風を利用してインバータ４５およびバッテリ４７を積極的に冷却することができる。
【００５４】
なお左右１対のインホイールモータ駆動装置２１の間には、インバータ４５およびバッテリ４７といった熱源の他、他の熱源を配置してもよい。また図示はしなかったが、前側アンダーガード３１ｆも同様に構成されてもよい。あるいは、サブフレーム４３の下面にアンダーガードをさらに付設して、サブフレーム４３を保護してもよい。
【００５５】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００５６】
この発明になるインホイールモータ駆動装置の冷却構造は、電気自動車およびハイブリッド車両において有利に利用される。
【符号の説明】
【００５７】
１０  車両、１１  車体、１２  ホイールハウジング、１３  下面、１６  車輪、１８ｄ  ディスク部、１９  ロードホイール内空領域、２１  インホイールモータ駆動装置、２２  車輪ハブ、２３  減速部、２４  モータ部、２５  端子ボックス、２６  懸架装置、３１  アンダーガード、３１ｆ  前側アンダーガード、３１ｒ  後側アンダーガード、３１Ｌ  左側アンダーガード、３２  導風路の後端、３３  隆起部、３４  中央導風路の後端、３５  隆起部、３６  導風路部分、３７  導風路、３８  前端、３９  中央導風路、４０  フィルタ、４１  電力線、４３  サブフレーム、４５  インバータ、４７  バッテリ。
【図１】
2013154655.tif 000003
【図２】
2013154655.tif 000004
【図３】
2013154655.tif 000005
【図４】
2013154655.tif 000006
【図５】
2013154655.tif 000007
【図６】
2013154655.tif 000008
【図７】
2013154655.tif 000009